(57)【特許請求の範囲】
【請求項１】
拡散符号により拡散された同期信号を送信する少なくとも１つの同期制御局と、当該同期制御局から送信された同期信号を検出した場合に、拡散符号により拡散されたデータ信号の送受信を実行する複数の無線通信局とを備える符号分割多元接続方式の無線通信システムにて、前記無線通信局のそれぞれが前記同期信号を捕捉する同期捕捉方法であって、
前記同期制御局及び他の無線通信局から受信した無線信号と、前記同期信号に用いられる拡散符号の系列との相関値である第１の相関値を算出するステップと、
前記受信した無線信号と各データ信号に用いられる拡散符号の系列のそれぞれとの相関値である複数の第２の相関値を算出するステップと、
算出した前記複数の第２の相関値の絶対値の和を算出するステップと、
前記第１の相関値と前記複数の第２の相関値の絶対値の和とに基づいて、同期信号を検出するステップと
を有する、同期捕捉方法。
【請求項２】
前記拡散符号としてＺＣＺ符号が用いられる、
請求項１に記載の同期捕捉方法。
【請求項３】
拡散符号により拡散された同期信号を送信する同期制御局から送信された当該同期信号を検出した場合に、拡散符号により拡散されたデータ信号の送受信を実行する符号分割多元接続方式の無線通信局に設けられる同期捕捉回路であって、
前記同期制御局及び他の無線通信局から受信した無線信号と、同期信号に用いられる拡散符号の系列との相関値である第１の相関値を算出する第１算出手段と、
前記受信した無線信号と各データ信号に用いられる拡散符号の系列のそれぞれとの相関値である複数の第２の相関値を算出する第２算出手段と、
前記第２算出手段によって算出された前記複数の第２の相関値の絶対値の和を算出する第３算出手段と、
前記第１算出手段により算出された第１の相関値と前記第３算出手段により算出された前記複数の第２の相関値の絶対値の和とに基づいて、同期信号を検出する同期信号検出手段と
を具備する、同期捕捉回路。
【請求項４】
前記第１算出手段及び前記第２算出手段が、マッチドフィルタバンクで構成されている、
請求項３に記載の同期捕捉回路。
【請求項５】
前記拡散符号としてＺＣＺ符号が用いられる、
請求項３又は４に記載の同期捕捉回路。
【請求項６】
拡散符号により拡散された同期信号を送信する少なくとも１つの同期制御局と、当該同期制御局から送信された同期信号を検出した場合に、拡散符号により拡散されたデータ信号の送受信を実行する複数の無線通信局とを備える符号分割多元接続方式の無線通信システムであって、
前記無線通信局が、
前記同期制御局及び他の無線通信局から受信した無線信号と、同期信号に用いられる拡散符号の系列との相関値である第１の相関値を算出する第１算出手段と、
前記受信した無線信号と各データ信号に用いられる拡散符号の系列のそれぞれとの相関値である複数の第２の相関値を算出する第２算出手段と、
前記第２算出手段によって算出された前記複数の第２の相関値の絶対値の和を算出する第３算出手段と、
前記第１算出手段により算出された第１の相関値と前記第３算出手段により算出された前記複数の第２の相関値の絶対値の和とに基づいて、同期信号を検出する同期信号検出手段と
を具備する、無線通信システム。
【請求項７】
前記拡散符号としてＺＣＺ符号が用いられる、
請求項６に記載の無線通信システム。
【発明の詳細な説明】
【技術分野】
【０００１】
本発明は、符号分割多重接続（ＣＤＭＡ：Code Division
Multiple Access）方式の通信における同期捕捉方法、同期捕捉回路、及びその同期捕捉回路を備える無線通信システムに関する。
【背景技術】
【０００２】
ＣＤＭＡ方式においては、送信側の各無線通信局が拡散符号を用いてデータ信号に拡散処理を施し、その拡散処理後のデータ信号を用いて搬送波を変調し、これを送信する。受信側の無線通信局は、送信側から送信された信号を受信した場合、その受信した信号に対して拡散符号を用いて逆拡散処理を施すことによってデータ信号を取得する。ここで、無線通信局毎に異なる拡散符号が用いられることにより多元接続が実現される。【０００３】
このようなＣＤＭＡ方式は、同期制御の方法に基づいて同期型と非同期型とに大別される。同期型のＣＤＭＡ方式では、複数の無線通信局から送信されたデータフレームの先頭チップが同じタイミングで受信されるように同期制御が行われる。これに対し、非同期型のＣＤＭＡ方式では、このような同期制御が行われず、複数の無線通信局から送信されたデータフレームの先頭チップが異なるタイミングで受信される。【０００４】
無線通信の場合、各無線通信局の移動等に伴って通信環境が刻々と変化するため、上述した同期型のＣＤＭＡ方式のような厳密な同期制御は困難である。また、上述した非同期型のＣＤＭＡ方式においては、各無線通信局からの信号の到達時点が不定であるため、採用できる拡散符号に制約が生じ、その結果他局間干渉が増大し、それがビット誤り率特性の劣化や多重数の減少をまねく。基地局において精密なパワーコントロールを行うことによって他局間干渉を抑制することは可能であるが、そのためには煩雑な処理が必要になるという不都合が生じる。【０００５】
上述したような同期型及び非同期型のＣＤＭＡ方式の欠点を解消すべく、同期制御局から所定の時間間隔で繰り返し同期信号が送信され、各無線通信局がその同期信号を捕捉したタイミングに応じてデータ信号の送受信を実行する、所謂準同期型のＣＤＭＡ方式が提案されている（例えば、特許文献１乃至３を参照。）。
【先行技術文献】
【特許文献】
【０００６】
【特許文献１】特開２００５−１７５８４９号公報
【特許文献２】特開２００７−４９６８８号公報
【特許文献３】特開２０１１−４９９２２号公報
【発明の概要】
【発明が解決しようとする課題】
【０００７】
一般的に、同一の拡散符号同士の内積である自己相関値のピーク値と比べて、異なる拡散符号同士の内積である相互相関値のピーク値は小さいため、これらのピーク値を用いることにより同期信号を正確に捕捉することができる。しかしながら、各送信局が同時に送信を行うことによって相互相関値が重なり合ってそのピーク値が大きくなったり、各無線通信局の遠近等に起因して自己相関値及び相互相関値のピーク値間の差が小さくなったりする場合がある。この場合、同期信号ではない信号を誤って同期信号と捉えてしまうという問題が生じ得るため、上述した準同期型のＣＤＭＡ方式において正しい同期制御を行うことができなくなるという事態を招くおそれがある。【０００８】
本発明は、斯かる事情を鑑みてなされたものであり、その主たる目的は、準同期型のＣＤＭＡ方式において高精度な同期捕捉を実現する同期捕捉方法、同期捕捉回路、及び無線通信システムを提供することにある。
【課題を解決するための手段】
【０００９】
上述した課題を解決するために、本発明の一の態様の同期捕捉方法は、拡散符号により拡散された同期信号を送信する少なくとも１つの同期制御局と、当該同期制御局から送信された同期信号を検出した場合に、拡散符号により拡散されたデータ信号の送受信を実行する複数の無線通信局とを備える符号分割多元接続方式の無線通信システムにて、前記無線通信局のそれぞれが前記同期信号を捕捉する同期捕捉方法であって、前記同期制御局及び他の無線通信局から受信した無線信号と、前記同期信号に用いられる拡散符号の系列との相関値である第１の相関値を算出するステップと、前記受信した無線信号と各データ信号に用いられる拡散符号の系列のそれぞれとの相関値である複数の第２の相関値を算出するステップと、算出した前記複数の第２の相関値の絶対値の和を算出するステップと、前記第１の相関値と前記複数の第２の相関値の絶対値の和とに基づいて、同期信号を検出するステップとを有する。この態様において、前記拡散符号としてＺＣＺ符号を用いるようにしてもよい。【００１０】
また、本発明の一の態様の同期捕捉回路は、拡散符号により拡散された同期信号を送信する同期制御局から送信された当該同期信号を検出した場合に、拡散符号により拡散されたデータ信号の送受信を実行する符号分割多元接続方式の無線通信局に設けられる同期捕捉回路であって、前記同期制御局及び他の無線通信局から受信した無線信号と、同期信号に用いられる拡散符号の系列との相関値である第１の相関値を算出する第１算出手段と、前記受信した無線信号と各データ信号に用いられる拡散符号の系列のそれぞれとの相関値である複数の第２の相関値を算出する第２算出手段と、前記第２算出手段によって算出された前記複数の第２の相関値の絶対値の和を算出する第３算出手段と、前記第１算出手段により算出された第１の相関値と前記第３算出手段により算出された前記複数の第２の相関値の絶対値の和とに基づいて、同期信号を検出する同期信号検出手段とを具備する。【００１１】
この態様において、前記拡散符号としてＺＣＺ符号が用いるようにしてもよい。また、前記態様において、前記第１算出手段及び前記第２算出手段が、マッチドフィルタバンクで構成されていてもよい。【００１２】
また、本発明の一の態様の無線通信システムは、拡散符号により拡散された同期信号を送信する少なくとも１つの同期制御局と、当該同期制御局から送信された同期信号を検出した場合に、拡散符号により拡散されたデータ信号の送受信を実行する複数の無線通信局とを備える符号分割多元接続方式の無線通信システムであって、前記無線通信局が、前記同期制御局及び他の無線通信局から受信した無線信号と、同期信号に用いられる拡散符号の系列との相関値である第１の相関値を算出する第１算出手段と、前記受信した無線信号と各データ信号に用いられる拡散符号の系列のそれぞれとの相関値である複数の第２の相関値を算出する第２算出手段と、前記第２算出手段によって算出された前記複数の第２の相関値の絶対値の和を算出する第３算出手段と、前記第１算出手段により算出された第１の相関値と前記第３算出手段により算出された前記複数の第２の相関値の絶対値の和とに基づいて、同期信号を検出する同期信号検出手段とを具備する。この態様において、前記拡散符号としてＺＣＺ符号を用いるようにしてもよい。
【発明の効果】
【００１３】
本発明に係る同期捕捉方法、同期捕捉回路及び無線通信システムによれば、準同期型のＣＤＭＡ方式における同期捕捉の精度を高めることが可能となる。
【図面の簡単な説明】
【００１４】
【図１】本発明の実施の形態１の無線通信システムの構成を示すブロック図。
【図２】本発明の実施の形態１の無線通信システムにおける通信フレームのタイムチャート。
【図３】本発明の実施の形態１の無線通信システムにおける送受信モデルを模式的に示す機能ブロック図。
【図４】本発明の実施の形態１の同期捕捉回路の構成を示す図。
【図５】ＺＣＺ符号の相関特性を示すグラフ。
【図６】ＺＣＺ系列の非周期自己相関特性を示すグラフ。
【図７】ＺＣＺ系列の非周期相互相関特性を示すグラフ。
【図８】実施例１における同期捕捉信号の例を示すグラフ。
【図９】従来の同期捕捉信号の例を示すグラフ。
【図１０】実施例１における同期誤り特性を示すグラフ。
【図１１】Ｍ系列型アダマール行列の非周期自己相関特性を示すグラフ。
【図１２】Ｍ系列型アダマール行列の非周期相互相関特性を示すグラフ。
【図１３】実施例２における同期捕捉信号の例を示すグラフ。
【図１４】従来の同期捕捉信号の例を示すグラフ。
【図１５】実施例２における同期誤り特性を示すグラフ。
【図１６】本発明の実施の形態２の同期捕捉回路の構成を示す図。
【図１７】本発明の実施の形態３の無線通信システムの構成を示すブロック図。
【図１８】本発明の実施の形態４の無線通信システムの構成を示すブロック図。
【図１９】本発明の実施の形態５の無線通信システムの構成を示すブロック図。
【図２０】本発明の実施の形態６の無線通信システムの構成を示すブロック図。
【図２１】本発明の実施の形態７の無線通信システムの構成を示すブロック図。
【図２２】本発明の実施の形態１の同期捕捉回路の変形例の構成を示す図。
【発明を実施するための形態】
【００１５】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
なお、以下に示す各実施の形態の無線通信システムは、通信距離が比較的短い近距離無線通信における通信システムである。しかしながら、本発明の技術的思想は、通信距離が長い無線通信においても実現可能である。
【００１７】
（実施の形態１）
図１は、本発明の実施の形態１の無線通信システムの構成を示すブロック図である。図１に示すように、ＣＤＭＡ方式の無線通信システム１は、無線信号を送受信する複数の無線通信局１０，１０，…と、所定の時間間隔で同期信号を送信する同期制御局２０とを備えている。各無線通信局１０は、同期制御局２０から送信された同期信号を検出したタイミングで、無線信号の送受信を実行する。無線通信システム１は、このような同期制御を行うことによって、準同期型のＣＤＭＡ方式の通信を実現する。
【００１８】
図２は、本発明の実施の形態１の無線通信システムにおける通信フレームのタイムチャートである。図２に示すように、同期制御局２０からは所定の時間間隔で同期信号が繰り返し送信される。各無線通信局１０は、この同期信号を検出したタイミングで、データ信号を送信する。その結果、図２のタイムチャートの最終段に示されているように、受信側の無線通信局１０に対して、同期信号と各データ信号を含む受信信号が入力される。なお、以下では、同期信号の送信が行われる期間を同期信号期間と、データ信号の送信が行われる期間をデータ信号期間とそれぞれ呼ぶ。
【００１９】
各無線通信局１０は、同期制御局２０から送信された同期信号の検出に基づいて、パルス発生器によって変調又は復調タイミング信号を生成する。各無線通信局１０は、この変調又は復調タイミング信号に応じて変調又は復調を行う。より具体的には、次のように動作する。
【００２０】
図３は、上述した無線通信システム１における送受信モデルを模式的に示す機能ブロック図である。図３に示すように、送信側の無線通信局１０は、同期信号の検出に基づいて生成された変調タイミング信号に合わせて、送信対象の情報に対して所定の拡散符号により拡散処理を施すことにより送信信号を生成し、その送信信号をＢＰＳＫ（Binary Phase Shift Keying）変調して伝送路に送信する。なお、ここでは変調方式としてＢＰＳＫを用いているが、他の変調方式を用いることも可能である。
【００２１】
他方、受信側の無線通信局１０は、受信信号をＢＰＳＫ復調した後、所定の拡散符号を用いて逆拡散処理を施し、同期信号の検出に基づいて生成された復調タイミング信号に合わせて閾値判定することによって情報を取り出す。
【００２２】
上述したように、本実施の形態では、同期信号の検出に基づいて変調又は復調タイミング信号が生成され、その変調又は復調タイミング信号にしたがってデータの送受信が行われる。そのため、データの送受信を正確に行うためには、同期信号を正確に検出する必要がある。各無線通信局１０は、この同期信号の検出のために同期捕捉回路を備えている。以下、この同期捕捉回路の詳細について説明する。なお、以下では、変調又は復調タイミング信号を生成するための信号を同期捕捉信号と呼ぶことにする。
【００２３】
［同期捕捉回路］
図４は、無線通信局１０が備える同期捕捉回路の構成を示す図である。図４に示すように、同期捕捉回路１１は、受信信号と拡散符号との相関値を出力するマッチドフィルタバンク１１１と、絶対値加算回路１１２と、除算回路１１３と、パルス発生器１１４とを具備している。
【００２４】
本実施の形態において、拡散符号は次のように表記される。
【数１】
0006025157.tif 000002
ここで、Ｎは系列長を、Ｍは系列数をそれぞれ示している。この式（１）に示すように、拡散符号Ａは、Ｍ個の２値系列の集合であり、各系列ａｍは要素１又は−１のＮ個の並びを表している。ここで、長さＮの２値系列ａｍとａｌとの周期相関関数は以下のように定義される。
【数２】
0006025157.tif 000003
【００２５】
本実施の形態においては、同期信号及びデータ信号の両方について同一の拡散符号が用いられる。具体的には、同期制御局２０から送信される同期信号については拡散符号Ａの系列ａ１が、各無線通信局１０から送信されるデータ信号についてはその他の系列ａ２乃至ａＭが用いられる。
【００２６】
マッチドフィルタバンク１１１は、受信信号ｒ（ｔ）と拡散符号Ａの全系列との相関処理を同時に行い、図４に示すように、各相関値ρ１（τ）乃至ρＭ（τ）を出力する。ここで、相関値ρ１（τ）は除算回路１１３に、その他の相関値ρ２（τ）乃至ρＭ（τ）は絶対値加算回路１１２にそれぞれ出力される。
【００２７】
絶対値加算回路１１２は、マッチドフィルタバンク１１１から入力された相関値ρ２（τ）乃至ρＭ（τ）の絶対値の和を算出し、これに１を加えて除算回路１１３に出力する。除算回路１１３は、マッチドフィルタバンク１１１から入力された相関値ρ１（τ）を、絶対値加算回路１１２から入力された相関値ρ２（τ）乃至ρＭ（τ）の絶対値の和で除することにより同期捕捉信号γ（τ）を算出し、その同期捕捉信号γ（τ）をパルス発生器１１４へ出力する。パルス発生器１１４は、この同期捕捉信号γ（τ）に基づいて、変調又は復調タイミング信号を生成することになる。
【００２８】
上記の同期捕捉信号γ（τ）を式で表すと以下のとおりとなる。
【数３】
0006025157.tif 000004
【００２９】
同期信号期間においては、同期制御局２０から同期信号が送信されるのみで、無線通信局１０からのデータ信号の送信は行われない。そのため、受信されるのは同期信号のみであるため、式（４）における分子は同期信号に用いられる系列ａ１の自己相関値となり、同じく分母は同期信号に用いられる系列ａ１との相互相関値の絶対値の和となる。他方、データ信号期間においては、同期信号に用いられる系列ａ１以外の系列ａ２乃至ａＭの和又は差が受信される。そのため、式（４）における分母は分子に比べて大きくなり、その結果、同期捕捉信号γ（τ）の値は小さくなる。このように、本実施の形態では、データ信号期間における同期捕捉信号γ（τ）の値を小さくすることができるため、データ信号期間における受信信号を誤って同期信号と捉えてしまうことを回避することができる。
【００３０】
＜実施例１＞
以下、拡散符号としてＺＣＺ（Zero Correlation Zone）符号を用いた場合の実施例１について説明する。
まず、ＺＣＺ符号について説明する。上記の式（１）及び（２）で定義される拡散符号であって、下記の式（５）を満たすものを、零相関領域Ｚｃｚを有するＺＣＺ符号と呼ぶ。
【数４】
0006025157.tif 000005
【００３１】
以下では、ＺＣＺ符号Ａの中の一つの系列ａｍをＺＣＺ系列と呼ぶ。図５は、このＺＣＺ符号の相関特性を示すグラフである。このグラフは、ＺＣＺ系列を方形波で表した場合の相関関数を用いて作成されており、各シフトの相関値が線で結ばれている。
【００３２】
なお、ＺＣＺ符号の系列数Ｍは、系列長Ｎ及び零相関領域Ｚｃｚに対して、以下の式（６）に示すように上界付けられる。
【数５】
0006025157.tif 000006
２値ＺＣＺ符号では、Ｚｃｚ＝１のとき、系列数Ｍ＝Ｎ／２となり、上界を満たす符号が構成できる。
【００３３】
実施例１では、非周期自己相関特性が比較的インパルスに近くなる偶差直交系列（Ｅ系列）の組を用いた構成法によるＺＣＺ符号を用いる。なお、この構成法については、「林田知大、松元隆博、松藤信哉、范平志、“非周期自己相関特性が良好なＺＣＺ符号について”、Proc. of SITA2010、pp.794-799、2010」に詳細が説明されている。図６及び図７は、系列長Ｎ＝３２、系列数Ｍ＝１６、無相関領域Ｚｃｚ＝１で、Ｅ系列を利用した構成法によるＺＣＺ系列の非周期自己相関特性及び非周期相互相関特性をそれぞれ示すグラフである。
【００３４】
拡散符号としてＺＣＺ符号を用いた場合、雑音等を考慮しなければ、零相関領域では相互相関関数が０であるため、同期信号期間において、上記の式（４）で求められる同期捕捉信号γ（τ）は零相関領域ではインパルスとなり、それ以外の領域では分母が大きくなるために同期捕捉信号γ（τ）は小さな値となる。また、データ信号期間において、零相関領域では式（４）の分子が０となるため、同期捕捉信号γ（τ）は０となる。図８は、実施例１における同期捕捉信号の例を示すグラフである。この結果が良好であることを確認するために、式（４）によらずに、ρ１（τ）を同期捕捉信号とした従来の場合の例を図９に示す。なお、図８及び図９は何れも、データ信号が４ユーザで多重されており、同期信号とデータ信号との電力比が６ｄＢの場合の同期捕捉信号の例を示している。これらの図８及び図９を比較すると、実施例１の場合の方が、同期捕捉信号がインパルスに近いことが確認できる。また、実施例１において、他局間干渉を有効に除去できていることも確認することができる。
【００３５】
なお、雑音等の影響によって、零相関領域外においても式（４）の分母が０になる場合が生じ得る。下記の式（７）に示すように、分母の相関出力を±Ｚｃｚの区間で移動平均することによって、これを確率的に軽減することができる。
【数６】
0006025157.tif 000007
【００３６】
図１０は、系列長Ｎ＝３２、系列数Ｍ＝１６、無相関領域Ｚｃｚ＝１で、Ｅ系列を利用した構成法によるＺＣＺ系列を用いた場合の実施例１における同期誤り特性を示すグラフである。なお、このグラフは、雑音等を考慮しない理想環境下でのシミュレーション結果を示している。このグラフにおいて、横軸は多重されるユーザ数を、縦軸は同期誤り率をそれぞれ示している。また、このグラフにおいて、“Conventional”はρ１（τ）を同期捕捉信号とした従来の場合の同期誤り特性を、“Proposal1”は式（４）を用いた場合の実施例１における同期誤り特性を、“Proposal2”は式（７）を用いた場合の実施例１における同期誤り率特性をそれぞれ示している。図１０を参照すると、従来の場合ではユーザ数が５以上になると同期誤り率が上昇していくのに対し、実施例１の場合ではその値が低いまま維持されていることが確認できる。
【００３７】
＜実施例２＞
次に、拡散符号としてＭ系列型アダマール行列を用いた場合の実施例２について説明する。この実施例２においても、上記の式（４）を用いて同期捕捉信号が算出される。なお、図１１及び図１２は、Ｍ系列型アダマール行列の非周期自己相関特性及び非周期相互相関特性をそれぞれ示すグラフである。これらのグラフは、系列長＝３２の場合の特性を示している。
【００３８】
図１３は、実施例２における同期捕捉信号の例を示すグラフである。また、図１４は、拡散符号としてＭ系列型アダマール行列を用い、ρ１（τ）を同期捕捉信号とした従来の場合の例を示すグラフである。なお、図１３及び図１４は何れも、データ信号が４ユーザで多重されており、同期信号とデータ信号との電力比が６ｄＢの場合の同期捕捉信号の例を示している。これらの図１３及び図１４を比較すると、実施例２の場合の方が、同期捕捉信号がインパルスに近く、しかも、他局間干渉を除去できていることが確認できる。
【００３９】
図１５は、実施例２における同期誤り特性を示すグラフである。このグラフは、実施例１の場合と同様に、理想環境下でのシミュレーション結果を示している。また、このグラフにおいて、横軸は多重されるユーザ数を、縦軸は同期誤り率をそれぞれ示しており、
“Conventional”はρ１（τ）を同期捕捉信号とした従来の場合の同期誤り特性を、“Proposal1”は式（４）を用いた場合の実施例２における同期誤り特性を、“Proposal2”は式（７）を用いた場合の実施例２における同期誤り率特性をそれぞれ示している。図１５を参照すると、従来の場合ではユーザ数が３以上になると同期誤り率が上昇していくのに対し、実施例２の場合ではその値が低いまま維持されていることが確認できる。
【００４０】
（実施の形態２）
実施の形態１では、同期捕捉回路がアナログ回路により実現されているが、デジタル回路によって実現することも可能である。実施の形態２では、同期捕捉回路がデジタル回路で構成されている。なお、それ以外の構成については実施の形態１の場合と同様であるため説明を省略する。以下、実施の形態２の同期捕捉回路の構成について説明する。
【００４１】
図１６は、実施の形態２の同期捕捉回路の構成を示す図である。図１６に示すように、同期捕捉回路１２は、受信信号と拡散符号との相関値を出力するマッチドフィルタバンク１２１と、絶対値閾値判別回路１２２と、ＡＮＤ回路１２３と、パルス発生器１２４とを具備している。
【００４２】
マッチドフィルタバンク１２１は、実施の形態１の場合と同様に、受信信号ｒ（ｔ）と拡散符号Ａの全系列との相関処理を同時に行い、図１６に示すように、各相関値ρ１（τ）乃至ρＭ（τ）を絶対値閾値判別回路１２２に対して出力する。絶対値閾値判別回路１２２は、各相関値ρ１（τ）乃至ρＭ（τ）の絶対値について、所定の閾値を用いた閾値判別を行う。具体的には、相関値の絶対値が当該閾値を超える場合はその相関値が大であると判別し、当該閾値以下である場合はその相関値が小であると判別する。そして、絶対値閾値判別回路１２２は、大と判別された場合には“１”を、小と判別された場合には“０”を、ＡＮＤ回路１２３に出力する。ここで、データ信号に係る相関値ρ２（τ）乃至ρＭ（τ）については反転させた値がＡＮＤ回路１２３に対して出力される。この場合、ＡＮＤ回路１２３の出力が“１”となるのは、同期信号に係る相関値ρ１（τ）についての出力が“１”、その他のデータ信号に係る相関値ρ２（τ）乃至ρＭ（τ）についての出力が“０”の場合のみである。そのため、ＡＮＤ回路１２３からの出力が“１”の場合は同期信号を検出したことになり、これを受けたパルス発生器１２４は変調又は復調タイミング信号を生成する。これにより、同期制御を実現することができる。
【００４３】
（実施の形態３）
実施の形態３は、ゲーム装置のコントローラを無線通信局とした場合の無線通信システムである。以下、その構成について説明する。
【００４４】
図１７は、本発明の実施の形態３の無線通信システムの構成を示すブロック図である。図１７に示すとおり、無線通信システム３は、ゲーム装置本体３０と、ゲーム装置のユーザが使用する複数のセンサコントローラ３１，３１，…とを備えている。これらのゲーム装置本体３０及びセンサコントローラ３１，３１，…はそれぞれ、実施の形態１における無線通信局に相当する準同期ＣＤＭＡモジュール３０１及び３１１，３１１，…を具備している。また、ゲーム装置本体３０は、実施の形態１における同期制御局に相当するモジュール（図示せず）も具備している。これにより、ゲーム装置本体３０及びセンサコントローラ３１，３１，…間において、実施の形態１において説明した準同期型のＣＤＭＡ方式の通信が行われることになる。
【００４５】
また、ゲーム装置本体３０は、センサコントローラ３１を操作するユーザの動作を解析するための動作算出処理装置３０２と、その解析結果に応じてそのユーザに対して通知する情報を生成するためのフィードバック判定処理装置３０３とを具備している。他方、センサコントローラ３１は、バイブレータ３１３と、そのバイブレータ３１３の動作を制御するバイブレータ制御装置３１２と、加速度センサ３１５及びジャイロセンサ３１６と、これらのセンサから出力される情報を取得するセンサ情報取得装置３１４とを具備している。
【００４６】
本実施の形態の無線通信システム３は、例えばゴルフゲームを実現することができるゲームシステムである。ユーザは、腕及び脚等の複数の部位にセンサコントローラ３１，３１，…を固定した後、ゴルフスイングを行う。このとき、各センサコントローラ３１のセンサ情報取得装置３１４は、ユーザの動作に応じて加速度センサ３１５及びジャイロセンサ３１６から出力された情報である動作情報を取得する。各センサコントローラ３１は、この動作情報を、準同期ＣＤＭＡモジュール３１１を介して伝送路に送信する。
【００４７】
ゲーム装置本体３０は、準同期ＣＤＭＡモジュール３０１を介して各センサコントローラ３１から送信された動作情報を受信し、これを動作算出処理装置３０２に与える。動作算出処理装置３０２は、受け取った動作情報に基づいて得られたユーザのゴルフスイング時の体の動きと、予め記憶されているゴルフスイング時の体の理想の動きとを比較する。ここで、理想の動きと異なる部位があると判定した場合、動作算出処理装置３０２はその部位を示す情報をフィードバック判定処理装置３０３に対して出力する。これを受けたフィードバック判定処理装置３０３は、当該部位に固定されているセンサコントローラ３１を特定し、その特定したセンサコントローラ３１に対してバイブレーション動作を指示するための動作指示信号を生成する。ゲーム装置本体３０は、この動作指示信号を、準同期ＣＤＭＡモジュール３０１を介して伝送路に送信する。
【００４８】
センサコントローラ３１は、準同期ＣＤＭＡモジュール３１１を介してゲーム装置本体３０から送信された動作指示信号を受信した場合、バイブレータ制御装置３１２に対してバイブレータ３１３の動作を開始するよう指示する。その結果、バイブレータ３１３が作動し、ユーザに対して振動が与えられる。これにより、ユーザは、どの部位が理想のフォームと異なるのか等を容易に確認することができる。
【００４９】
本実施の形態ではゴルフゲームが例示されているが、それ以外のゲームシステムにおいても本実施の形態の無線通信システムが適用可能であることは言うまでもない。例えば、多人数で同時にプレイするゲーム等に本実施の形態の無線通信システムを適用して、各ユーザが各コントローラを操作する場合等が想定される。本実施の形態の無線通信システムの場合、複数のコントローラが同時にゲーム装置本体に接続することができるため、上述したゴルフゲームのように複数部位の動きをセンシングしたり、多人数が同時でプレイしたりすること等が可能になる。また、本実施の形態の無線通信システムの場合、高速に同期確立を実現することができるため、通信が必要になったときにのみコントローラを起動させればよい。そのため、バッテリー駆動が想定される無線コントローラにおいて、低消費電力化を図ることができる。
【００５０】
（実施の形態４）
実施の形態４は、複数の携帯型ゲーム装置を無線通信局とした場合の無線通信システムである。以下、その構成について説明する。
【００５１】
図１８は、本発明の実施の形態４の無線通信システムの構成を示すブロック図である。図１８に示すとおり、無線通信システム４は、複数の携帯型ゲーム装置４０，４０，…を備えている。各携帯型ゲーム装置４０は、実施の形態１における無線通信局に相当する準同期ＣＤＭＡモジュール４０１を具備している。また、無線通信システム４は、実施の形態１における同期制御局（図示せず）を備えている。これにより、複数の携帯型ゲーム装置４０，４０，…間において、実施の形態１において説明した準同期型のＣＤＭＡ方式の通信が行われることになる。なお、無線通信システム４を構成する携帯型ゲーム装置４０，４０，…のうちの少なくとも１つが同期制御局の役割を果たすように構成されていてもよい。
【００５２】
また、携帯型ゲーム装置４０は、ゲームに関する各種の演算処理を実行するゲーム演算処理装置４０２と、液晶ディスプレイ４０４と、その液晶ディスプレイ４０４に対して表示画像に関する信号を出力する画像処理装置４０３と、ユーザからのキー入力を受け付けるキー入力情報取得装置４０５とを具備している。
【００５３】
以下、１台の携帯型ゲーム装置４０がホストとし機能し、他の携帯型ゲーム装置４０，４０，…がクライアントとして機能する場合を例にして説明する。クライアントである携帯型ゲーム装置４０，４０，…は、キー入力情報取得装置４０５にてユーザからのキー入力を受け付け、そのキー入力に関する演算処理がゲーム演算処理装置４０２にて実行し、その処理結果を示す信号を、準同期ＣＤＭＡモジュール４０１を介して伝送路に送信する。
【００５４】
ホストである携帯型ゲーム装置４０は、準同期ＣＤＭＡモジュール４０１を介して、各携帯型ゲーム装置４０から送信された信号を受信する。そして、ゲーム演算処理装置４０２にてこれらの信号に基づき自機の液晶ディスプレイ４０４にて表示する画像情報と、クライアントである携帯型ゲーム装置４０，４０，…の液晶ディスプレイ４０４にて表示する画像情報とを生成する。自機用の画像情報は画像処理装置４０３を介して液晶ディスプレイ４０４に渡され、その結果当該液晶ディスプレイ４０４に画像が表示される。他方、クライアント用の画像情報は、準同期ＣＤＭＡモジュール４０１を介して伝送路に送信される。
【００５５】
クライアントである携帯型ゲーム装置４０，４０，…は、準同期ＣＤＭＡモジュール４０１を介して、ホストである携帯型ゲーム装置４０から送信された画像情報を受信する。この画像情報は、ゲーム演算処理装置４０２及び画像処理装置４０３を介して液晶ディスプレイ４０４に渡され、その結果各クライアントの液晶ディスプレイ４０４に画像が表示される。
【００５６】
このような動作を繰り返すことにより、無線通信システム４において、多人数で同時にプレイ可能なゲームを実現することができる。この無線通信システム４の場合、携帯型ゲーム装置４０，４０，…のみで構成することもでき、インターネット等を介する場合と比べて低コスト化を図ること等が可能になる。また、準同期型のＣＤＭＡ方式を用いているため、リアルタイム性を高めることができ、優れたユーザ操作性を実現することができる。
【００５７】
（実施の形態５）
実施の形態５は、複数のスピーカ装置を無線通信局とした場合の無線通信システムである。以下、その構成について説明する。
【００５８】
図１９は、本発明の実施の形態５の無線通信システムの構成を示すブロック図である。図１９に示すとおり、無線通信システム５は、サラウンドスピーカ制御装置５０と、複数のスピーカ装置５１，５１，…とを備えている。これらのサラウンドスピーカ制御装置５０及び複数のスピーカ装置５１，５１，…はそれぞれ、実施の形態１における無線通信局に相当する準同期ＣＤＭＡモジュール５０１及び５１１，５１１，…を具備している。また、サラウンドスピーカ制御装置５０は、実施の形態１における同期制御局に相当するモジュール（図示せず）も具備している。これにより、サラウンドスピーカ制御装置５０及び複数のスピーカ装置５１，５１，…間において、実施の形態１において説明した準同期型のＣＤＭＡ方式の通信が行われることになる。
【００５９】
また、サラウンドスピーカ制御装置５０は、音源から入力された音声を分離し、各チャネルに振り分ける音声分離処理装置５０２を具備している。他方、スピーカ装置５１は、Ｄ／Ａ変換器５１２と、スピーカ部５１３とを具備している。サラウンドスピーカ制御装置５０は、音声分離処理装置５０２にて、音源から入力された音声を分離し、各チャネル用の音声信号を生成する。そして、サラウンドスピーカ制御装置５０は、その音声信号を、準同期ＣＤＭＡモジュール５０１を介して伝送路に送信する。スピーカ装置５１は、準同期ＣＤＭＡモジュール５１１を介して音声信号を受信した場合、Ｄ／Ａ変換器５１２にてアナログ信号に変換し、これをスピーカ部５１３に与える。その結果、スピーカ部５１３にて、当該チャネル用の音声が出力される。
【００６０】
サラウンドスピーカシステムにおいては、鳴動の同期をとる必要があり、これを無線通信で行うことは通常困難である。本実施の形態の場合、正確な同期捕捉が可能となるため、このようなサラウンドスピーカシステムにも有効である。
【００６１】
（実施の形態６）
実施の形態６は、複数のマイクを無線通信局とした場合の無線通信システムである。以下、その構成について説明する。
【００６２】
図２０は、本発明の実施の形態６の無線通信システムの構成を示すブロック図である。図２０に示すとおり、無線通信システム６は、マイクアレイ制御装置６０と、複数のマイク装置６１，６１，…とを備えている。なお、これらの複数のマイク装置６１，６１，…によってマイクアレイ６２が構成されている。マイクアレイ制御装置６０及び複数のマイク装置６１，６１，…はそれぞれ、実施の形態１における無線通信局に相当する準同期ＣＤＭＡモジュール６０１及び６１１，６１１，…を具備している。また、マイクアレイ制御装置６０は、実施の形態１における同期制御局に相当するモジュール（図示せず）も具備している。これにより、マイクアレイ制御装置６０及び複数のマイク装置６１，６１，…間において、実施の形態１において説明した準同期型のＣＤＭＡ方式の通信が行われることになる。
【００６３】
また、マイクアレイ制御装置６０は、各マイク装置６１から受け取った音声信号から所望の音声信号を抽出するための音声抽出演算処理装置６０２を具備している。他方、マイク装置６１は、集音マイク６１３と、その集音マイク６１３によって得られたアナログの音声信号をデジタルの音声信号に変換するＡ／Ｄ変換器６１２とを具備している。各マイク装置６１は、Ａ／Ｄ変換器６１２にて得られた音声信号を、準同期ＣＤＭＡモジュール６１１を介して伝送路に送信する。マイクアレイ制御装置６０は、準同期ＣＤＭＡモジュール６０１を介して各マイク装置６１から音声信号を受信した場合、音声抽出演算処理装置６０２にて、音声の周波数比較を行い、取得した時間差を算出することにより、音源位置を特定する。そして、マイクアレイ制御装置６０は、所望の方向以外の音声をフィルタリングし、所望の方向の音声のみを出力する。これにより、ノイズキャンセル・エコーキャンセル等を実現することができる。
【００６４】
マイクアレイにおいては、複数のマイクを分散させて配置した方が、各マイクから見た音源位置に差が生じやすく、より正確に音源方向を特定することができる。しかしながら、そのように分散させた場合には、配線が困難になる等の問題が生じる。本実施の形態の場合、無線通信で実現できるため、そのような問題は生じない。このように無線通信を利用した場合であっても、本実施の形態では、優れた同時多元接続性及びリアルタイム性が得られるため、音源方向を正確に特定することができる。
【００６５】
（実施の形態７）
実施の形態７は、ロボットが有する関節を駆動するための複数の関節駆動装置を無線通信局とした場合の無線通信システムである。以下、その構成について説明する。
【００６６】
図２１は、本発明の実施の形態７の無線通信システムの構成を示すブロック図である。図２１に示すとおり、無線通信システム７は、メインコントローラ７０と、複数の関節駆動装置７１，７１，…とを備えている。メインコントローラ７０及び複数の関節駆動装置７１，７１，…はそれぞれ、実施の形態１における無線通信局に相当する準同期ＣＤＭＡモジュール７０１及び７１１，７１１，…を具備している。また、メインコントローラ７０は、実施の形態１における同期制御局に相当するモジュール（図示せず）も具備している。これにより、メインコントローラ７０及び複数の関節駆動装置７１，７１，…間において、実施の形態１において説明した準同期型のＣＤＭＡ方式の通信が行われることになる。
【００６７】
また、メインコントローラ７０は、ロボットの各関節のバランス制御のための演算を行うバランス制御用演算装置７０２を具備している。他方、関節駆動装置７１は、関節を動作させるためのアクチュエータ７１３と、そのアクチュエータ７１３の動作を制御するアクチュエータ制御装置７１２と、加速度センサ・ジャイロセンサ・トルクセンサ等で構成されるセンサ群７１４と、それらのセンサから出力された情報を取得するセンサ情報取得装置７１５とを具備している。各関節駆動装置７１において、センサ群７１４が加速度情報・トルク情報などのバランス制御に必要な情報を出力し、センサ情報取得装置７１５がこれを取得する。そして、各関節駆動装置７１は、その情報を、準同期ＣＤＭＡモジュール７１１を介して伝送路に送信する。メインコントローラ７０は、準同期ＣＤＭＡモジュール７０１を介して当該情報を受信し、バランス制御用演算装置にてその情報に基づきバランス制御に必要な制御情報を算出する。その制御情報は、準同期ＣＤＭＡモジュール７１１を介して送信され、各関節駆動装置７１によって受信される。各関節駆動装置７１において、アクチュエータ制御装置７１２が当該制御情報に基づいてアクチュエータ７１３の動作を制御する。これにより、ロボット全体のバランス制御を実現することができる。
【００６８】
ロボットの場合、関節部においては、個別の制御信号を必要とする複数の関節駆動装置が密集しているため、有線による通信を用いると、配線が入り組んだり、可動域が制限されたり等の問題が生じる。本実施の形態の場合、無線通信で実現できるため、そのような問題は生じない。このように無線通信を利用した場合であっても、本実施の形態では、混信を起こすことがないため、関節駆動装置が密集している場合でも問題はなく、また、優れたリアルタイム性を実現できるため、即時応答性が求められるロボットシステムに有効である。さらに、バッテリー駆動が前提の移動型ロボットのように関節駆動装置の低消費電力が求められる場合でも、本実施の形態では、未使用時はスリープ状態にしておき、使用時に高速に同期確立を行う等の動作が可能なため、省電力化を実現することができる。
【００６９】
（その他の実施の形態）
上述した各実施の形態では、同期捕捉回路がマッチドフィルタバンクを具備しているが、各系列についての相関値を出力できればよいため、複数の相関器を並列に設けるような構成であってもよい。図２２は、そのような構成の同期捕捉回路の構成を示す図である。図２２に示すように、同期捕捉回路１１Ａには、実施の形態１の同期捕捉回路１１におけるマッチドフィルタバンク１１１の代わりに、Ｍ個のマッチドフィルタ１１１Ａが並列に設けられている。なお、この同期捕捉回路１１Ａのその他の構成については、同期捕捉回路１１の場合と同様であるので、同一符号を付して説明を省略する。この同期捕捉回路１１Ａにおいても、同期捕捉回路１１と同様に正確な同期捕捉を実現することができる。
【００７０】
また、上述した実施例１のように、拡散符号としてＺＣＺ系列を用いる場合、下記の式（８）により定義される拡張ＺＣＺ系列を用いることができる。
【数７】
0006025157.tif 000008
この拡張ＺＣＺ系列は、式（８）に示すとおり、長さＮのＺＣＺ系列の前後にＺｃｚチップ増やして長さＮ＋２Ｚｃｚに拡張した系列である。この拡張ＺＣＺ系列を用いることにより、データ変調によって奇相関関数が現れた場合でも零相関領域を保つことができる。
【産業上の利用可能性】
【００７１】
本発明の同期捕捉方法及び同期捕捉回路は、準同期型のＣＤＭＡ方式の通信における同期捕捉方法及び同期捕捉回路として有用である。また、本発明の無線通信システムは、準同期型のＣＤＭＡ方式の無線通信システムとして有用である。
【符号の説明】
【００７２】
１，３，４，５，６，７  無線通信システム
１０  無線通信局
１１，１１Ａ，１２  同期捕捉回路
２０  同期制御局
３０  ゲーム装置本体
３１  センサコントローラ
４０  携帯型ゲーム装置
５０  サラウンドスピーカ制御装置
５１  スピーカ装置
６０  マイクアレイ制御装置
６１  マイク装置
６２  マイクアレイ
７０  メインコントローラ
７１  関節駆動装置
１１１，１２１  マッチドフィルタバンク
１１１Ａ  マッチドフィルタ
１１２  絶対値加算回路
１１３  除算回路
１１４  パルス発生器
１２２  絶対値閾値判別回路
１２３  ＡＮＤ回路
１２４  パルス発生器
３０１，３１１  準同期ＣＤＭＡモジュール
３０２  動作算出処理装置
３０３  フィードバック判定処理装置
３１２  バイブレータ制御装置
３１３  バイブレータ
３１４  センサ情報取得装置
３１５  加速度センサ
３１６  ジャイロセンサ
４０１  準同期ＣＤＭＡモジュール
４０２  ゲーム演算処理装置
４０３  画像処理装置
４０４  液晶ディスプレイ
４０５  キー入力情報取得装置
５０１，５１１  準同期ＣＤＭＡモジュール
５０２  音声分離処理装置
５１２  Ｄ／Ａ変換器
５１３  スピーカ部
６０１，６１１  準同期ＣＤＭＡモジュール
６０２  音声抽出演算処理装置
６１２  Ａ／Ｄ変換器
６１３  集音マイク
７０１，７１１  準同期ＣＤＭＡモジュール
７０２  バランス制御用演算装置
７１２  アクチュエータ制御装置
７１３  アクチュエータ
７１４  センサ群
７１５  センサ情報取得装置
【図１】
0006025157.tif 000009
【図２】
0006025157.tif 000010
【図３】
0006025157.tif 000011
【図４】
0006025157.tif 000012
【図５】
0006025157.tif 000013
【図６】
0006025157.tif 000014
【図７】
0006025157.tif 000015
【図８】
0006025157.tif 000016
【図９】
0006025157.tif 000017
【図１０】
0006025157.tif 000018
【図１１】
0006025157.tif 000019
【図１２】
0006025157.tif 000020
【図１３】
0006025157.tif 000021
【図１４】
0006025157.tif 000022
【図１５】
0006025157.tif 000023
【図１６】
0006025157.tif 000024
【図１７】
0006025157.tif 000025
【図１８】
0006025157.tif 000026
【図１９】
0006025157.tif 000027
【図２０】
0006025157.tif 000028
【図２１】
0006025157.tif 000029
【図２２】
0006025157.tif 000030